(57)【要約】【課題】反射鏡の容易且つ高精度な成形を可能とし、高い集光性能を維持しつつ製造コストの低減及び大量生産を可能とすると共に、反射鏡の軽量化により支持回動機構等のコストを低減できる太陽熱集熱装置を提供することを課題とする。【解決手段】従来のガラスより成る反射曲面鏡に代えて、リニアフレネル面１ａを反射膜１ｂにより被覆し当該反射膜１ｂにより太陽光を反射させてその反射光Ｒを線状に集光させるリニアフレネル反射鏡１を用いることによって、樹脂による成形を可能とし、容易な成形を可能とすると共に、湾曲した曲面では無く樹脂成形が容易なリニアフレネル面を採用して、高精度な成形を可能とし、且つ、樹脂により反射鏡の軽量化を図る。【選択図】図１
2012163286.tif 000002
【特許請求の範囲】
【請求項１】
太陽光を集光し集熱する太陽熱集熱装置であって、
前記太陽光を線状に集光するためのリニアフレネル面及び前記リニアフレネル面を被覆し前記太陽光を反射するための反射膜を備えたリニアフレネル反射鏡と、
前記反射膜により反射された前記太陽光の線状の集光位置に配置される集熱部と、を具備した太陽熱集熱装置。
【請求項２】
前記リニアフレネル反射鏡は、樹脂製であることを特徴とする請求項１記載の太陽熱集熱装置。
【請求項３】
前記リニアフレネル面及び前記反射膜は、前記リニアフレネル反射鏡の入射光側に位置することを特徴とする請求項１又は２記載の太陽熱集熱装置。
【請求項４】
前記リニアフレネル面及び前記反射膜は、前記リニアフレネル反射鏡の入射光側とは反対側の裏面側に位置することを特徴とする請求項１又は２記載の太陽熱集熱装置。
【発明の詳細な説明】
【技術分野】
【０００１】
本発明は、太陽光を集熱部に集光し集熱するための太陽熱集熱装置に関する。
【背景技術】
【０００２】
近年、側面視Ｕ字状を成し樋状に延びる反射曲面鏡（反射凹面鏡）を多数並設すると共に、この曲面鏡より太陽側の位置に、当該曲面鏡の並設方向に沿って集熱管を延設し、当該曲面鏡により太陽光を集熱管に向けて反射させ線状に集光し集熱させることで、集熱管内を流れる熱媒を加熱し蒸気タービンを回転させるトラフ型の太陽熱発電システムが知られている（例えば、非特許文献１参照）。このような太陽熱発電システムにあっては、上記多数の曲面鏡を支持回動機構により支持させ太陽の移動に追尾させながら回動させ、反射光を集熱管に線状に集光させる。
【先行技術文献】
【非特許文献】
【０００３】
【非特許文献１】「ＮＥＤＯ再生可能エネルギー技術白書」２０１０年７月、５太陽熱発電の技術の現状とロードマップ、Ｐ．２５３
【発明の概要】
【発明が解決しようとする課題】
【０００４】
ここで、上記曲面鏡は、反射光を高精度に線状に集光するためガラス製曲面鏡であるのが一般的であり、製造コストが高くなると共に大量生産に不向きであり、且つ、重量が重くなる結果、支持回動機構のコストが高くなるという問題がある。一方、このような問題を解決すべく、曲面鏡をガラス以外の材質から成形することが考えられるが、高精度に湾曲した曲面を成形するのは難しく、集光性能が低下するおそれがある。
【０００５】
本発明は、このような課題を解決するために成されたものであり、反射鏡の容易且つ高精度な成形を可能とし、高い集光性能を維持しつつ製造コストの低減及び大量生産を可能とすると共に、反射鏡の軽量化により支持回動機構等のコストを低減できる太陽熱集熱装置を提供することを目的とする。
【課題を解決するための手段】
【０００６】
本発明による太陽熱集熱装置は、太陽光を集光し集熱する太陽熱集熱装置であって、太陽光を線状に集光するためのリニアフレネル面及びリニアフレネル面を被覆し太陽光を反射するための反射膜を備えたリニアフレネル反射鏡と、反射膜により反射された太陽光の線状の集光位置に配置される集熱部と、を具備したことを特徴としている。
【０００７】
このような太陽熱集熱装置によれば、従来のガラスより成る反射曲面鏡に代えて、リニアフレネル面を反射膜により被覆し当該反射膜により太陽光を反射させてその反射光を線状に集光させるリニアフレネル反射鏡が用いられる。このリニアフレネル反射鏡では、樹脂による成形（例えば射出成形）が可能とされるため、容易な成形が可能とされると共に、湾曲した曲面では無く樹脂成形が容易なリニアフレネル面が採用されるため、高精度な成形が可能とされる。従って、高い集光性能を維持しつつ製造コストの低減及び大量生産が可能とされる。また、樹脂により反射鏡の軽量化が図られ、支持回動機構等のコストが低減される。
【０００８】
このように、リニアフレネル反射鏡を樹脂製とするのが特に好ましい。
【０００９】
ここで、リニアフレネル面及び反射膜は、リニアフレネル反射鏡の入射光側に位置していると、反射鏡内を太陽光が透過しないため、耐候性が一層向上される。
【００１０】
また、リニアフレネル面及び反射膜は、リニアフレネル反射鏡の入射光側とは反対側の裏面側に位置していると、汚れやすい入射光側が平面となり、汚れを取り除くための掃除箇所が平面であるため、掃除がより容易となる。
【発明の効果】
【００１１】
このように本発明による太陽熱集熱装置によれば、反射鏡の容易且つ高精度な成形が可能となり、高い集光性能を維持しつつ製造コストの低減及び大量生産が可能となると共に、反射鏡の軽量化により支持回動機構等のコストを低減できる。
【図面の簡単な説明】
【００１２】
【図１】本発明の第１実施形態に係る太陽熱集熱装置を示す概略構成図である。
【図２】本発明の第２実施形態に係る太陽熱集熱装置を示す概略構成図である。
【発明を実施するための形態】
【００１３】
以下、本発明による太陽熱集熱装置の好適な実施形態について図１、図２を参照しながら説明する。なお、各図において、同一の要素には同一の符号を付し、重複する説明は省略する。
【００１４】
図１は、本発明の第１実施形態に係る太陽熱集熱装置を示す概略構成図であり、この太陽熱集熱装置は、主として前述した太陽熱発電システムに採用されるものであり、太陽光を集熱部に集光し集熱するためのものである。
【００１５】
図１に示すように、太陽熱集熱装置１００は、概略、リニアフレネル反射鏡１と、熱媒パイプ２と、支持回動機構３と、を備える。
【００１６】
リニアフレネル反射鏡１は、太陽光を集光するための平板状のリニアフレネル反射鏡であり、多数枚が紙面垂直方向に並設されている。このリニアフレネル反射鏡１は、樹脂製であり、ここでは、例えばアクリル樹脂やポリカーボネート等を用い、例えば射出成形により成形されている。なお、高い耐候性を有するものを用いるのがより好ましい。
【００１７】
このリニアフレネル反射鏡１にあっては、太陽光の入射光Ｓ側がリニアフレネル面１ａとされている。このリニアフレネル面１ａは、断面鋸刃状の溝を図示左右方向に並設したものであり、各溝は紙面垂直方向に延在し、各溝を形成する各傾斜面は、反射面の両端から中央に行くに従い（図示左右から中央に行くに従い）徐々にフラットになっている。そして、これらの傾斜面が、入射光Ｓを線状（紙面垂直方向に直線状）に集光させる役目を果たす。
【００１８】
このリニアフレネル面１ａは反射膜１ｂにより被覆されている。この反射膜１ｂは、入射光Ｓを反射し反射光Ｒとして出射するものであり、ここでは、蒸着によりリニアフレネル面１ａ上に設けられている。なお、反射膜１ｂは、二色成形によりリニアフレネル面１ａ側の部分（基材）と一体に成形されても良く、また、反射フィルム等をリニアフレネル面１ａに貼着することで形成されても良い。
【００１９】
そして、リニアフレネル面１ａは、当該リニアフレネル面１ａ上の反射膜１ｂによる反射光Ｒが、リニアフレネル反射鏡１より太陽側に配設された熱媒パイプ２に線状に集光するように、その傾斜面（溝）等が設計されている。
【００２０】
熱媒パイプ２は、反射光Ｒにより集熱されるパイプ（集熱部）であり、リニアフレネル反射鏡１の前を横切り、反射光Ｒが、線状に集光する集光位置（焦点位置）に位置するように設置される。この熱媒パイプ２内には、例えば水やオイル等の熱媒が流れる。
【００２１】
支持回動機構３は、リニアフレネル反射鏡１を支持回動させるためのものであり、リニアフレネル反射鏡１を入射光Ｓ側とは反対側の裏面側から支持する支持フレーム３ａと、この支持フレーム３ａを紙面垂直方向に延びる一軸周りに回動させる回動機構３ｂと、を備える。そして、この回動機構３ｂは、その駆動によって、支持フレーム３ａを太陽の動きに追尾するように回動させ、リニアフレネル反射鏡１による反射光Ｒを熱媒パイプ２に常時集光させる。
【００２２】
なお、図１及び後述の図２においては、図が煩雑になるのを避けるために、太陽光の入射光Ｓ及び反射光Ｒは、図示左半分側のみに簡略化されて描かれている。
【００２３】
次に、このように構成された太陽熱集熱装置１００の作用について説明する。
【００２４】
太陽光がリニアフレネル反射鏡１を照射すると、入射光Ｓは反射膜１ｂにより反射し、当該反射膜１ｂによる反射光Ｒは、紙面垂直方向に延びる熱媒パイプ２に線状（紙面垂直方向に延びる直線状）に集光し、当該熱媒パイプ２内の熱媒は集熱により加熱され、この加熱された熱媒によって例えば蒸気タービン等の熱機関が駆動される。そして、リニアフレネル反射鏡１は、支持回動機構３により太陽の動きに追尾し、当該リニアフレネル反射鏡１からの反射光Ｒは常時熱媒パイプ２に集光し効率良く熱機関が駆動される。
【００２５】
このような太陽熱集熱装置１００によれば、従来のガラスより成る反射曲面鏡に代えて、リニアフレネル面１ａを反射膜１ｂにより被覆し当該反射膜１ｂにより太陽光を反射させてその反射光Ｒを線状に集光させるリニアフレネル反射鏡１が用いられる。このリニアフレネル反射鏡１は、樹脂より成形（射出成形）されているため、容易に成形できると共に、湾曲した曲面では無く樹脂成形が容易なリニアフレネル面１ａを採用しているため、高精度に成形できる。従って、高い集光性能を維持しつつ製造コストを低減できると共に大量生産できる。また、樹脂により反射鏡の軽量化が図られ、支持回動機構等のコストを低減できる。
【００２６】
また、本実施形態の太陽熱集熱装置１００によれば、リニアフレネル面１ａ及び反射膜１ｂは、リニアフレネル反射鏡１の入射光Ｓ側に位置しているため、反射鏡内（基材内）を太陽光が透過することが無く、耐候性を一層向上できる。
【００２７】
図２は、本発明の第２実施形態に係る太陽熱集熱装置を示す概略構成図である。
【００２８】
この第２実施形態の太陽熱集熱装置２００が第１実施形態の太陽熱集熱装置１００と違う点は、リニアフレネル反射鏡１に代えて、入射光Ｓ側とは反対側の裏面側にリニアフレネル面１０ａ及びこれを被覆する反射膜１０ｂを備えたリニアフレネル反射鏡１０を用いた点である。
【００２９】
ここで、リニアフレネル面１０ａは、当該リニアフレネル面１０ａ上の反射膜１０ｂによる反射光Ｒが、熱媒パイプ２に線状に集光するように、その傾斜面（溝）等が設計されている。
【００３０】
このように構成された第２実施形態の太陽熱集熱装置２００によれば、リニアフレネル面１０ａを被覆した反射膜１０ｂにより太陽光が反射し、その反射光Ｒが熱媒パイプ２に線状に集光し集熱されるという第１実施形態とほぼ同様な作用・効果に加えて、リニアフレネル面１０ａ及び反射膜１０ｂが、リニアフレネル反射鏡１０の入射光Ｓ側とは反対側の裏面側に位置しているため、汚れやすい入射光Ｓ側が平面となり、その結果、汚れを取り除くための掃除箇所が平面であるため、掃除がより容易となるという効果を得ることができる。
【００３１】
以上、本発明をその実施形態に基づき具体的に説明したが、本発明は上記実施形態に限定されるものではない。例えば、対称なハーフタイプのリニアフレネル反射鏡を、図１及び図２に示す左右方向に繋げ、これら一対のリニアフレネル反射鏡により太陽光を集熱部２に線状に集光させるようにしても良く、さらには、３枚以上のリニアフレネル反射鏡を図１及び図２に示す左右方向に繋げ、これら３枚以上のリニアフレネル反射鏡により太陽光を集熱部２に線状に集光させるようにしても良い。
【符号の説明】
【００３２】
１，１０…リニアフレネル反射鏡、１ａ，１０ａ…リニアフレネル面、１ｂ，１０ｂ…反射膜、２…熱媒パイプ（集熱部）、３…支持回動機構、１００，２００…太陽熱集熱装置、Ｒ…反射光、Ｓ…入射光。
【図１】
2012163286.tif 000003
【図２】
2012163286.tif 000004